(57)【要約】【課題】  巻いてある糸を解いたとき、その糸に巻き癖がつかず、しかも糸を解く作業が容易に行える。【解決手段】  上壁１２と下壁１４が互いに平行に配置され、上壁１２及び下壁１４の一方の端部が端壁１６によって結合され、他方の端部が開放端部とされている。上壁１２の内面に下壁１４に向かって短円筒状部２０が設けられ、下壁１４の内面に、上壁１２に向かって突出して短円筒状部２２が設けられている。上壁１２内面の端壁１６側から開放端部側に向かって舌片部２４が伸延し、それの中途の裏面が短円筒状部２０に結合され、先端部が円弧状に形成されている。下壁１４内面の端壁１６側から開放端部側に向かって舌片部２６が伸延し、中途の裏面が短円筒状部２２に結合され、先端部が円弧状に形成されている。【選択図】        図１
2008067671.tif 000002
【特許請求の範囲】
【請求項１】
第１及び第２の主壁が互いに平行に配置され、第１及び第２の主壁の一方の端部が結合体によって結合され、第１及び第２の主壁の他方の端部が開放端部とされている本体部と、
第１の主壁の内面に、第２の主壁側に向かって突出して設けられ、少なくとも前記開放端部側に位置している部分が、前記開放端部側に向かって凸に湾曲している第１の突出部と、
第２の主壁の内面に、第１の主壁側に向かって突出して設けられ、少なくとも前記開放端部側に位置している部分が、前記開放端部側に向かって凸に湾曲している第２の突出部と、
第１の主壁の内面の前記結合体側から前記開放端部側に向かって伸延し、中途の裏面が第１の突出部の突出端部に結合され、前記開放端部側の先端部が、前記開放端部側に向かって凸に湾曲し、少なくとも前記開放端部側の先端部が可撓性を有する第１の片状部と、
第２の主壁の内面の前記結合体側から前記開放端部側に向かって伸延し、中途の裏面が第２の突出部の突出端部に結合され、前記開放端部側の先端部が、前記開放端部側に向かって凸に湾曲し、少なくとも前記開放端部側の先端部が可撓性を有する第２の片状部とを、
具備する糸巻き。
【請求項２】
請求項１記載の糸巻きにおいて、第１及び第２の突出部間に、糸がその中心で折り畳まれたほぼ８の字状に掛け渡され、その糸の先端部が前記解法端部側にある糸巻き。
【請求項３】
請求項１記載の糸巻きにおいて、第１及び第２の片状部が、前記中途からそれぞれ前記結合体側に向かうに従って幅が狭く形成されている糸巻き。
【請求項４】
請求項１記載の糸巻きにおいて、前記本体部が、その周囲を包囲する状態にケースに収容されている糸巻き。
【発明の詳細な説明】
【技術分野】
【０００１】
本発明は、例えば釣り糸の幹糸やハリスを巻く糸巻きに関する。
【背景技術】
【０００２】
例えば、幹糸を巻回する糸巻きとしては、例えば特許文献１に開示されたような円筒の両端にフランジを形成し、円筒部に幹糸を巻くものがある。
【０００３】
【特許文献１】特開２００５−０００１５１号公報
【発明の開示】
【発明が解決しようとする課題】
【０００４】
特許文献１の技術では、糸が円筒状部に巻かれるので、巻き癖がつかない。しかし、糸を引き出す際、フランジを手でつまんで、円筒の回りに沿って糸を解かなければならず、その作業が面倒である。
【０００５】
本発明は、糸に巻き癖がつかず、しかも糸を解く作業が容易である糸巻きを提供することを目的とする。
【課題を解決するための手段】
【０００６】
本発明の一態様の糸巻きは、本体部を有している。本体部は、互いに平行に配置された第１及び第２の主壁を有している。第１及び第２の主壁は、例えば正方形または長方形状の板状体とすることもできるし、円板や楕円板、小判型の板状体等の種々の形状とすることができる。第１及び第２の主壁の一方の端部が結合体によって結合され、第１及び第２の主壁の他方の端部が開放端部とされている。結合体は、第１及び第２の主壁の一方の端部を全面的に結合する板状のものを使用することもできるし、一方の端部の長さ方向に適当な間隔をおいて配置され、第１及び第２の主壁の一方の端部間を結合するものも使用できる。第１の主壁の内面に、第２の主壁側に向かって突出して第１の突出部が設けられている。第１の突出部において、少なくとも前記開放端部側に位置している部分が、前記開放端部側に向かって凸に湾曲している。同様に第２の主壁の内面に、第１の主壁側に向かって第２の突出部が突出して設けられている。第２の突出部は、少なくとも前記開放端部側に位置している部分が、前記開放端部側に向かって凸に湾曲している。第１及び第２の突出部は、互いに対向するように形成することが望ましい。また、第１及び第２の突出部は、凸の湾曲部は、例えば円弧状または楕円弧状とすることができる。第１の主壁の内面の前記結合体側から前記開放端部側に向かって第１の片状部が伸延し、中途の裏面が第１の突出部の突出端部に結合されている。第１の片状部の前記開放端部側の先端部が、前記開放端部側に向かって凸に湾曲している。第２の主壁の内面の前記結合体側から前記開放端部側に向かって第２の片状部が伸延し、中途の裏面が第２の突出部の突出端部に結合されている。第２の片状部の前記開放端部側の先端部が、前記開放端部側に向かって凸に湾曲している。第１及び第２の片状部の少なくとも前記開放端部側の先端部が可撓性を有している。第１及び第２の片状部の解法端部側の凸の湾曲部も、例えば円弧状または楕円弧状とすることができる。本体部、第１及び第２の突出部並びに第１及び第２の片状部は、例えば合成樹脂製または紙製とすることができる。
【０００７】
第１及び第２の突出部間に、糸、例えば釣り糸が中心で折り畳まれたほぼ８の字状に掛け渡され、その先端部が前記開放端部側にある。このように構成された糸巻きでは、例えば、第１の突出部付近に糸の基端部が固定され、第１の突出部の開放端部側に凸の湾曲部に巻かれ、結合体の付近で折り返されて、第２の突出部の開放端部側に凸の湾曲部に巻かれ、結合体の付近で折り返されて、第１の突出部の開放端部側に凸の湾曲部を通って先端部が開放端部から外方に引き出されているとする。この状態では、糸は第１及び第２の片状部と第１及び第２の主壁部との間にあり、自然に解けることはない。この状態において、糸を外方に引くと、第１の突出部付近に位置する糸の部分が第１の片状部の先端部を撓ませて、第１の片状部の表面側に出る。この状態で更に糸を引くと、糸は結合体付近にある部分及び結合体から第２の突出部付近にあるものが解ける。更に、糸を引くと、第２の突出部の湾曲部分から第２の片状部の表面側に出て、外方に引き出される。以下、同様にして、順に糸が引き出される。
【０００８】
この糸巻きでは、糸は折り畳んだ８の字状に巻かれているので、解いたときに巻き癖はついてない。しかも、糸を解くときは、単に糸の先端を直線的に引っ張るだけでよいので、引き出し作業が容易になる。
【０００９】
第１及び第２の片状部を、前記中途からそれぞれ前記結合体側に向かうに従って幅が狭く形成することができる。このように構成すると、折り曲げられた８の字状の糸の結合体付近の部分が解かれたとき、第１及び第２の片状部が、糸の移動を阻害することがなく、速やかに糸を引き出すことができる。
【００１０】
前記本体部は、その周囲を包囲する状態にケースに収容することができる。このようにケースに収容しておけば、携帯に便利である。
【発明の効果】
【００１１】
以上のように、本発明による糸巻きでは、これに巻いた糸を解いたとき、その糸に巻き癖がつかず、しかも糸を解く作業が単に直線的に糸を引き出すだけであるので、容易に行える。
【発明を実施するための最良の形態】
【００１２】
本発明の１実施形態の糸巻き２は、図２に示すようにケース４に収容されている。ケース４は、中箱６と外箱８とからなる。中箱６は、長方形状の底壁６ａと、それの両長手縁に一体に形成された側壁６ｂ、６ｃと、底壁６ａの両短縁に一体に形成された端壁６ｄ、６ｅと、端壁６ｄ、６ｅの上縁に一体に形成された係止片６ｆ、６ｇとからなる。端壁６ｄには、後述する糸を引き出すための貫通孔１０が形成されている。外箱８は、中空で扁平な直方体の両端壁を欠如させた構造である。
【００１３】
糸巻き２は、図１（ａ）に示すように、第１及び第２の主壁、例えば上壁１２と下壁１４とを有している。上壁１２及び下壁１４は、共に同じ大きさの長方形状に形成され、両者が互いに重なり合うように平行に、所定の間隔を隔てて配置されている。これら上壁１２と下壁１４との一方の端部、例えば一方の短縁間が、結合体、例えば端壁１６によって結合されている。端壁１６は、上壁１２及び下壁１４の両短縁全域に結合され、両者に対してほぼ垂直である。このように本体２は、端壁１６とは反対側が開放された下方端部とされた概略コ字状の側面形状をなしている。これら上壁１２、下壁１４及び端壁１６によって本体部が形成されている。但し、下壁１４の端壁１６とは反対側、即ち開放端部側には、開放端部とほぼ同一形状である直方形状の閉鎖壁１８が一体に形成されている。この閉鎖壁１８が開放端部を閉塞している。
【００１４】
上壁１２の裏面、即ち下壁１４側にある面の開放端部側によった位置に第１の突出部、例えば短円筒状部２０が形成されている。この短円筒状部２０は、上壁１２の長手縁を繋ぐ方向、即ち幅方向のほぼ中央に位置している。下壁１４の裏面、即ち上壁１２側にある面における短円筒状部２０と対応する位置に、短円筒状部２２が形成されている。これら短円筒状部２０、２２は同じ大きさである。短円筒状部２０、２２は、その平面形状が円形であるので、開放端部側に向かって凸の湾曲部を有している。
【００１５】
上壁１２の裏面に第１の片状部、例えば舌片部２４が形成されている。舌片部２４は、その基端部が端壁１６の近傍にあり、開放端部側に向かうに従って徐々に幅寸法（上壁１２の長手縁間の方向の寸法）が拡大する拡大部２４ａと、拡大部２４に続いて幅寸法が一定である中間部２４ｂと、この中間部２４ｂに続く先端部２４ｃとを有している。この舌片部２４は、その中心軸線が、短円筒状部２０の中心と一致している。中間部２４ｂの幅寸法は、上壁１２の幅寸法よりもわずかに小さい。この昼間部２４ｂにおける上壁１２と面している面に短円筒状部２０の突出端部が固定されている。先端部２４ｃは、開放端部側に向かって凸の円弧状に形成されている。
【００１６】
下壁１４の裏面にも第２の片状部、例えば舌片部２６が形成されている。この舌片部２６も、舌片部２４と同様に形成されている。即ち、拡大部２６ａ、中間部２６ｂ、先端部２６ｃを有し、これらは拡大部２４ａ、中間部２４ｂ、先端部２４ｃと同様に形成されている。また、舌片部２６の中心軸線は、短円筒状部２２の中心と一致している。
【００１７】
この糸巻き２は、図３（ａ）に示すように、例えば長方形状の厚紙を一点鎖線で示す位置で折り曲げることによって閉塞部材１８付きの本体部を形成することができる。短円筒状部２０、２２、舌片部２４、２６も厚紙製として、適切な接着剤で接着されている。従って、舌片部２４、２６の先端部２４ｃ、２６ｃは、撓むことができる。なお、紙以外に合成樹脂等によって形成することもできる。
【００１８】
この糸巻き２は、例えば次のようにして釣り糸２８が巻回される。下壁１４の一方の長手縁を１４ａ、他方の長手縁を１４ｂ、上壁１２における上記長手縁１４ａと同じ側の長手縁を長手縁１２ａと、長手縁１４ｂと同じ側の長手縁を長手縁１２ｂ、拡大部２４ａ、２６ａの縁のうち長手縁１２ａ、１４ａ側にある縁を２４ａ−ａ、２６ａ−ａ、拡大部２４ａ、２６ａの縁のうち長手縁１２ｂ、１４ｂ側にある縁を２４ａ−ｂ、２６ａ−ｂとする。釣り糸２８の基端部は、下壁１４または舌片部２６の拡大部２６ａの長手縁１４ａ側に固定されている。釣り糸２８は、基端部から舌片部２６と下壁１４との間を円筒状部２２まで伸ばされて、円筒状部２２で長手縁１４ｂ側に折り返えされ、舌片部２６の拡大部２６ａの縁２６ａ−ｂの一部と交差して、端壁１６の中央付近まで伸ばされる。ここまでの部分で概略楕円型の輪がほぼ形成されている。釣り糸２８は、さらに、上壁１２の長手縁１２ａ側に伸ばされ、舌片部２４の拡大部２４ａの縁２４ａ−ａと交差して、舌片部２４と上壁１２との間に入り、短円筒状部２０で長手縁１２ｂ側に折り返され、拡大部２４ａの縁２４ａ−ｂに交差して端壁１６側に伸ばされる。釣り糸２８は、さらに下壁１４の長手縁１４ａ側に伸ばされ、拡大部２６ａの縁２６ａ−ａに交差して舌片部２６と下壁１４との間に入る。このようにして、釣り糸２８が一巻きされ、各輪が楕円状の８の字状にされる。以下、同様にして短円筒状部２０、２２間に釣り糸２８が複数回にわたって巻き付けられる。なお、図３（ａ）、（ｂ）では、図が複雑になるので、一巻きした状態だけを示している。
【００１９】
このようにして巻き付けられた釣り糸２８の先端は、例えば図３（ａ）に示すように舌片部２４の先端部２４ｃの中途から、閉塞壁１８の中央に形成した貫通孔３０を通って外部に引き出される。場合によっては、舌片部２４の先端部２４ｃの中途から釣り糸２８の先端部が引き出されることもある。その後、図３（ａ）の一点鎖線で示す位置で厚紙が折り曲げられ、図１（ａ）に示す状態とされる。この状態では、釣り糸２８は、８の字がその中心で折り畳まれた状態になっている。次に、図２に示す中箱６に、糸巻き２の閉塞壁１８が中箱６の端壁６ｄ側に位置するように収容し、閉塞壁１８から引き出した釣り糸２８を中箱６の端壁６ｄの貫通孔１０から外部に引き出し、係止片６ｆ、６ｇを底壁６ａと平行になるように折り曲げ、外箱４に収容する。
【００２０】
釣り糸２８が一巻きされ、例えば図１（ａ）に示すように釣り糸２８の先端部が舌片部２６の中途に交差して舌片部２４、２６の間から貫通孔３０を通過している場合、同図（ａ）に誇張して描くように釣り糸２８の先端を上方に引くと、舌片部２６の先端部２６ｃが釣り糸２８によって上壁１２側に撓み、図１（ａ）において釣り糸２８のうち舌片部２６と下壁１４との間にあった部分が図１（ｂ）に示すように舌片部２４、２６間に移動する。この状態において更に釣り糸２８を引き出すと、図１（ｂ）において端壁１６付近にあった部分が、図１（ｃ）に示すように、釣り糸２８の舌片部２４ａの縁２４ａ−ａを通過して短円筒部２４の閉塞壁１８付近まで移動する。この状態で釣り糸２８を引くと、舌片部２４が舌片部２６側に撓み、図１（ｃ）におおいて端壁１６付近から短円筒状部２０付近に合った部分が、図１（ｄ）に示すように舌片部２４、２６間に移動する。図３（ｄ）の状態において更に釣り糸２８を引き出すと、図１（ｄ）において端壁１６付近に位置する折り返された部分が引き出され、図１（ｅ）に示すように引き出し終了状態となる。釣り糸２８が複数巻きされている場合には、図１（ａ）乃至（ｄ）に示す状態が複数回にわたって繰り返されて、糸が引き出され、最終的に図１（ｅ）に示す状態となる。
【００２１】
このように釣り糸２８は、８の字状に巻かれているので、解いても釣り糸２８には巻き癖がついていない。また、解くときも、単に直線的に釣り糸を引き出せばよいので、引き出し作業が容易である。
【００２２】
上記の実施形態では、この糸巻きを厚紙で構成したが、これに限ったものではなく、金属、ゴム、合成樹脂等種々の材料によって構成することができる。また、上記の実施形態では、ケースとして中箱６と外箱８とを使用したが、外箱８だけとすることもできる。また、中箱６や外箱８を透明材料によって構成し、本体部２が外部から見えるように構成することもできるし、中箱６や外箱８を防水構造とすることもできる。また、外箱８の適所に布ファスナーを設け、釣り人の衣服に着脱自在にケースを取り付けることができるようにすることもできる。また、上記の実施形態では、閉塞壁１８を設けたが場合によっては不要である。
【図面の簡単な説明】
【００２３】
【図１】本発明の１実施形態の糸巻きから釣り糸を解く状態の説明図である。
【図２】図１の糸巻きの組み立て図である。
【図３】図１の糸巻きの本体部を展開した状態の平面図と側面図である。
【符号の説明】
【００２４】
２  糸巻き
１２  上壁（第１の主壁）
１４  下壁（第２の主壁）
１６  端壁（結合体）
２０  短円筒状部（第１の突出部）
２２  短円筒状部（第２の突出部）
２４  舌片部（第１の片状部）
２６  舌片部（第２の片状部）
【図１】
2008067671.tif 000003
【図２】
2008067671.tif 000004
【図３】
2008067671.tif 000005